(57)【要約】【課題】信頼性を向上させる。【解決手段】現金自動取引装置１は、筐体２と、筐体２に対して、該筐体２の外部から内部に収納又は該筐体２の内部から外部へ引き出し可能に設けられる紙幣入出金機１０とを設け、紙幣入出金機１０は、紙幣入出金機１０内部の機構を手動で操作するシャッタ操作ノブ３２と、シャッタ操作ノブ３２を覆う被覆状態と、該シャッタ操作ノブ３２を露出させた露出状態との間で遷移可能に構成され、紙幣入出金機１０が筐体２の内部に収納された上部ユニット収納状態において、被覆状態から露出状態への遷移を筐体２内部の壁面である筐体左側内壁面２Ｓと接触することにより規制するシャッタ操作ノブカバー３４とを有する。【選択図】図１４
2019046160.tif 000002
【特許請求の範囲】
【請求項１】
内部の機構を手動で操作する操作ノブと、
前記操作ノブを覆う被覆状態と、該操作ノブを露出させた露出状態との間で遷移可能に構成され、筐体の内部に収納された収納状態において、前記被覆状態から前記露出状態への遷移を前記筐体内部の壁面と接触することにより規制するノブカバーと
を備えることを特徴とする媒体処理装置。
【請求項２】
前記収納状態において前記筐体内部の壁面と対向する位置に、前記筐体内部の壁面から離隔する方向に凹んだ凹部が形成され、前記凹部内に前記操作ノブが配置される
請求項１に記載の媒体処理装置。
【請求項３】
前記ノブカバーは、前記筐体内部の壁面に対し近接又は離隔するよう移動可能に設けられる
ことを特徴とする請求項２に記載の媒体処理装置。
【請求項４】
前記ノブカバーは、軸を中心に回動可能に設けられる
ことを特徴とする請求項３に記載の媒体処理装置。
【請求項５】
前記ノブカバーは、前記被覆状態において前記操作ノブの周囲を囲む側板部を有し、
前記側板部により形成される被覆空間により前記操作ノブが覆われる
請求項４に記載の媒体処理装置。
【請求項６】
前記筐体に対して、前記ノブカバーを該筐体の外部に引き出された引出状態と前記収納状態との間で移動可能にするスライドレールをさらに有し、
前記ノブカバーは、前記筐体に対し移動する方向と直交する左右方向を少なくとも含む方向へ移動する
ことを特徴とする請求項３に記載の媒体処理装置。
【請求項７】
前記ノブカバーは、前記媒体処理装置の左側又は右側の少なくとも何れか一方に設けられる
ことを特徴とする請求項６に記載の媒体処理装置。
【請求項８】
前記ノブカバーは、前記媒体処理装置の保守面側に設けられる
ことを特徴とする請求項７に記載の媒体処理装置。
【請求項９】
前記操作ノブが設けられたユニットにおいて前記筐体内部の壁面と対向するユニット側面から、前記筐体内部の壁面から離隔する方向へ前記凹部内へ向かって前記ノブカバーが入り込む量が、前記ユニット側面と前記筐体内部の壁面との隙間よりも大きい
ことを特徴とする請求項３に記載の媒体処理装置。
【請求項１０】
開口部を含み、該開口部を介して顧客との間で紙幣を受け渡す入出部と、
前記開口部を閉塞又は開放するシャッタと
をさらに備え、
前記操作ノブは、前記シャッタを手動で操作する
ことを特徴とする請求項３に記載の媒体処理装置。
【請求項１１】
ローラを回転させることにより媒体を搬送する搬送部をさらに備え、
前記操作ノブは、前記ローラを手動で操作する
ことを特徴とする請求項３に記載の媒体処理装置。
【請求項１２】
前記ノブカバーは、前記媒体処理装置が前記筐体の内部から引き出された引出状態において、前記被覆状態から前記露出状態への遷移を可能とする
ことを特徴とする請求項３に記載の媒体処理装置。
【請求項１３】
筐体と、
前記筐体に対して、該筐体の外部から内部に収納又は該筐体の内部から外部へ引き出し可能に設けられる紙幣処理部とを備え、
前記紙幣処理部は、
前記紙幣処理部内部の機構を手動で操作する操作ノブと、
前記操作ノブを覆う被覆状態と、該操作ノブを露出させた露出状態との間で遷移可能に構成され、前記紙幣処理部が前記筐体の内部に収納された収納状態において、前記被覆状態から前記露出状態への遷移を前記筐体内部の壁面と接触することにより規制するノブカバーとを有する
ことを特徴とする自動取引装置。
【発明の詳細な説明】
【技術分野】
【０００１】
本発明は媒体処理装置及び自動取引装置に関し、例えば紙幣等の媒体を投入して所望の取引を行う現金自動取引装置（ＡＴＭ：Automatic Teller Machine）等に適用して好適なものである。
【背景技術】
【０００２】
従来、金融機関や店舗等で使用される現金自動取引装置等においては、顧客との取引内容に応じて、顧客に紙幣や硬貨等の現金を入金させ、また顧客へ現金を出金する。現金自動取引装置としては、顧客との間で紙幣の授受を行う入出金部と、投入された紙幣の金種及び真偽を鑑別すると共に紙幣の記番号を識別する鑑別部と、投入された紙幣を一時的に保留する一時保留部と、紙幣を搬送する搬送部と、金種毎に紙幣を格納する紙幣収納庫とを有する紙幣入出金機を内蔵するものがある。
【０００３】
このような現金自動取引装置には、保守作業時に入出金部のシャッタを手動で開閉する操作ノブや搬送部のローラを手動で回転させる操作ノブを有するものがある（例えば、特許文献１参照）。そのような現金自動取引装置には、操作ノブを覆うことにより該操作ノブの誤操作を防止するカバーが設けられているものがある。
【先行技術文献】
【特許文献】
【０００４】
【特許文献１】特開２０１３−１７４９４６号公報
【発明の概要】
【発明が解決しようとする課題】
【０００５】
そのような現金自動取引装置においては、該現金自動取引装置内の紙幣を取り扱う権限を有していない保守員が、現金自動取引装置の筐体に紙幣入出金機が収納された収納状態においてノブカバーを開けて操作ノブを操作してしまうと、入出金部のシャッタが開放されて紙幣が抜き取られたり、搬送部の紙幣が搬送されて紙幣が紛失したりしてしまう可能性があった。このため現金自動取引装置は、収納状態においては、操作ノブを確実に操作不能にすることで信頼性を向上させることが望ましい。
【０００６】
本発明は以上の点を考慮してなされたもので、信頼性を向上し得る媒体処理装置及び自動取引装置を提案しようとするものである。
【課題を解決するための手段】
【０００７】
かかる課題を解決するため本発明の媒体処理装置においては、内部の機構を手動で操作する操作ノブと、操作ノブを覆う被覆状態と、該操作ノブを露出させた露出状態との間で遷移可能に構成され、筐体の内部に収納された収納状態において、被覆状態から露出状態への遷移を筐体内部の壁面と接触することにより規制するノブカバーとを設けるようにした。
【０００８】
また本発明の自動取引装置においては、筐体と、筐体に対して、該筐体の外部から内部に収納又は該筐体の内部から外部へ引き出し可能に設けられる紙幣処理部とを設け、紙幣処理部は、紙幣処理部内部の機構を手動で操作する操作ノブと、操作ノブを覆う被覆状態と、該操作ノブを露出させた露出状態との間で遷移可能に構成され、紙幣処理部が筐体の内部に収納された収納状態において、被覆状態から露出状態への遷移を筐体内部の壁面と接触することにより規制するノブカバーとを有するようにした。
【０００９】
本発明は、収納状態においてはノブカバーで操作ノブを覆い続けることにより、権限を有しない者によって該操作ノブが操作されてしまうことを防止できる。
【発明の効果】
【００１０】
本発明によれば、信頼性を向上し得る媒体処理装置及び自動取引装置を実現できる。
【図面の簡単な説明】
【００１１】
【図１】現金自動取引装置の構成を示す斜視図である。
【図２】現金自動取引装置の内部構成を示す左側面図である。
【図３】紙幣入出金機の構成を示す左側面図である。
【図４】ユニット引出状態の自動取引装置の構成を示す左側面図である。
【図５】上部ユニット引出状態且つ下部ユニット収納状態の自動取引装置の構成を示す左側面図である。
【図６】上部ユニット収納状態且つ下部ユニット引出状態の自動取引装置の構成を示す左側面図である。
【図７】入出金部に紙幣が詰まった状態におけるユニット収納状態の現金自動取引装置の構成を示し、（Ａ）は（Ｂ）のＢ−Ｂ矢視断面図、（Ｂ）は左側面図、（Ｃ）は正面図である。
【図８】入出金部に紙幣が詰まった状態における上部ユニット引出状態且つ露出状態の現金自動取引装置の構成を示し、（Ａ）は（Ｂ）のＢ−Ｂ矢視断面図、（Ｂ）は左側面図、（Ｃ）は正面図である。
【図９】入出金部に紙幣が詰まった状態における上部ユニット引出状態且つ露出状態でジャム紙幣が取り出される際の現金自動取引装置の構成を示し、（Ａ）は（Ｂ）のＢ−Ｂ矢視断面図、（Ｂ）は左側面図、（Ｃ）は正面図である。
【図１０】入出金部に紙幣が詰まった状態における上部ユニット収納状態且つ内壁面衝突状態の現金自動取引装置の構成を示し、（Ａ）は（Ｂ）のＢ−Ｂ矢視断面図、（Ｂ）は左側面図、（Ｃ）は正面図である。
【図１１】シャッタ操作ノブカバーの構成を示す斜視図である。
【図１２】被覆状態のシャッタ操作ノブカバーの構成を示す正面図である。
【図１３】露出状態のシャッタ操作ノブカバーの構成を示す正面図である。
【図１４】内壁面衝突状態のシャッタ操作ノブカバーの構成を示す正面図である。
【図１５】鑑別部に紙幣が詰まった状態における上部ユニット引出状態の現金自動取引装置の構成を示す左側面図である。
【図１６】鑑別部に紙幣が詰まった状態における入出金部開放状態及び鑑別部開放状態の上部ユニットの構成を示す左側面図である。
【図１７】搬送部に紙幣が詰まった状態における上部ユニット引出状態の現金自動取引装置の構成を示し、（Ａ）は左側面図、（Ｂ）は正面図である。
【図１８】搬送部に紙幣が詰まった状態における入出金部開放状態及び鑑別部開放状態の上部ユニットの構成を示す左側面図である。
【図１９】搬送部から鑑別部へジャム紙幣が送られ取り出される際の上部ユニットの構成を示す左側面図である。
【図２０】第２の実施の形態による被覆状態のシャッタ操作ノブカバーの構成を示す正面図である。
【図２１】第２の実施の形態による露出移行状態のシャッタ操作ノブカバーの構成を示す正面図である。
【図２２】第２の実施の形態による露出状態のシャッタ操作ノブカバーの構成を示す正面図である。
【図２３】第２の実施の形態による内壁面衝突状態のシャッタ操作ノブカバーの構成を示す正面図である。
【図２４】第３の実施の形態による被覆状態のシャッタ操作ノブカバーの構成を示す正面図である。
【図２５】第３の実施の形態による露出移行状態のシャッタ操作ノブカバーの構成を示す正面図である。
【図２６】第３の実施の形態による露出状態のシャッタ操作ノブカバーの構成を示す正面図である。
【図２７】第３の実施の形態による内壁面衝突状態のシャッタ操作ノブカバーの構成を示す正面図である。
【図２８】第４の実施の形態による被覆状態のシャッタ操作ノブカバーの構成を示し、（Ａ）は平面図、（Ｂ）は左側面図、（Ｃ）は正面図である。
【図２９】第４の実施の形態による露出移行状態のシャッタ操作ノブカバーの構成を示し、（Ａ）は平面図、（Ｂ）は正面図である。
【図３０】第４の実施の形態による露出状態のシャッタ操作ノブカバーの構成を示し、（Ａ）は平面図、（Ｂ）は正面図である。
【図３１】第４の実施の形態による内壁面衝突状態のシャッタ操作ノブカバーの構成を示し、（Ａ）は平面図、（Ｂ）は正面図である。
【図３２】他の実施の形態による被覆状態のシャッタ操作ノブカバーの構成を示す正面図である。
【発明を実施するための形態】
【００１２】
以下、発明を実施するための形態（以下実施の形態とする）について、図面を用いて説明する。
【００１３】
［１．第１の実施の形態］
［１−１．現金自動取引装置の構成］
図１に外観を示すように、現金自動取引装置１は、箱状の筐体２を中心に構成されており、例えば金融機関等に設置され、顧客との間で入金取引や出金取引等の現金に関する取引を行う。筐体２は、その前側に顧客が対峙した状態で紙幣の投入やタッチパネルによる操作等をしやすい箇所に顧客応対部３が設けられている。
【００１４】
顧客応対部３は、カード入出口４、入出金口５、操作表示部６、テンキー７及びレシート発行口８が設けられており、顧客との間で現金や通帳等を直接やり取りすると共に、取引に関する情報の通知や操作指示の受付を行う。カード入出口４は、キャッシュカード等の各種カードが挿入又は排出される部分である。カード入出口４の奥側には、各種カードに磁気記録された口座番号等の読み取りを行うカード処理部（図示せず）が設けられている。入出金口５は、顧客が入金する紙幣が投入されると共に、顧客へ出金する紙幣が排出される部分である。入出金口５は、シャッタ１１（図２）を駆動することにより開放又は閉塞する。操作表示部６は、取引に際して操作画面を表示するＬＣＤ（Liquid Crystal Display）と、取引の種類の選択、暗証番号や取引金額等を入力するタッチパネルとが一体化されている。テンキー７は、「０」〜「９」の数字等の入力を受け付ける物理的なキーであり、暗証番号や取引金額等の入力操作時に用いられる。レシート発行口８は、取引処理の終了時に取引内容等を印字したレシートを発行する部分である。因みにレシート発行口８の奥側には、レシートに取引内容等を印字するレシート処理部（図示せず）が設けられている。
【００１５】
筐体２内には、現金自動取引装置１全体を統括制御する主制御部９や、紙幣に関する種々の処理を行う紙幣入出金機１０等が設けられている。主制御部９は、図示しないＣＰＵ（Central Processing Unit）を中心に構成されており、ＲＯＭ（Read Only Memory）、ＲＡＭ（Random Access Memory）、ハードディスクドライブやフラッシュメモリ等でなる記憶部から所定のプログラムを読み出して実行することにより、各部を制御して入金取引や出金取引等の種々の処理を行う。
【００１６】
筐体２は、左側の壁部における内壁面に、上下前後方向に沿って延びる平面形状である筐体左側内壁面２Ｓ（図７）が形成されている。また筐体２は、前面側及び後面側に、開閉可能な扉が設けられている。筐体２は、顧客との間で取引処理が行われる取引動作時の場合には扉を閉鎖することにより、現金自動取引装置１の内部を保護する。一方筐体２は、行員や金融機関の保守員等により保守作業が行われる保守作業時の場合には、必要に応じて扉を開放することにより、内部の各部に対する作業を容易に行わせ得る。以下では、現金自動取引装置１のうち顧客が対峙する側を前側とし、その反対を後側とし、該前側に対峙した顧客から見て左、右、上及び下をそれぞれ左側、右側、上側及び下側として説明する。
【００１７】
［１−２．紙幣入出金機の内部構成］
図２及び図３に示すように紙幣入出金機１０は、大きく分けて、上下方向のほぼ中央よりも上側部分を占める上部ユニット１０Ｕと、その下側部分を閉める下部ユニット１０Ｄとにより構成されており、内部に紙幣に関する種々の処理を行う複数の部分が組み込まれている。
【００１８】
［１−２−１．上部ユニットの構成］
上部ユニット１０Ｕは、フレームに各種機構が固定され、紙幣制御部１２（図１）が各部（入出金部１４、搬送部１５、鑑別部１６、一時保留部１７、紙幣収納庫１８、上側リジェクト庫１９Ｕ及び下側リジェクト庫１９Ｄ）を統括制御する。上部ユニット１０Ｕは、図４及び図５に示すように、筐体２に対して上部スライドレール２２Ｕにより前方向であるユニット引出方向へ引き出され上部ユニット引出状態となる。また上部ユニット１０Ｕは、引き出された状態から筐体２に向かって後方向であるユニット収納方向へ移動することにより収納され上部ユニット収納状態（図２）となる。すなわち上部ユニット１０Ｕは、筐体２に対して前後方向であるユニット移動方向へ移動可能になっている。因みに図２及び図３において上部スライドレール２２Ｕ及び下部スライドレール２２Ｄ（後述する）は図示せず省略する。
【００１９】
上部ユニット１０Ｕは、該上部ユニット１０Ｕ内部に、紙幣が詰まる状態である紙幣ジャムが発生し、詰まった紙幣であるジャム紙幣が取り除かれる場合や、入出金部１４、搬送部１５、鑑別部１６、一時保留部１７又は上側リジェクト庫１９Ｕが交換される場合や、基板（図示せず）が交換される場合や、上部ユニット１０Ｕ内部を清掃される場合、筐体２から前方へ引き出される。
【００２０】
紙幣制御部１２（図１）は、図示しないＣＰＵを中心に構成されており、ＲＯＭ、ＲＡＭ、ハードディスクドライブやフラッシュメモリ等でなる記憶部１３（図１）から所定のプログラムを読み出して実行することにより、各部を制御して入金取引や出金取引等の種々の処理を行う。記憶部１３は、鑑別部１６が紙幣を鑑別した鑑別結果及び紙幣の記番号の識別結果等を取引情報と合わせて記憶する。
【００２１】
入出部としての入出金部１４（図３）は、紙幣入出金機１０における前方上側に配され、顧客から投入された紙幣を１枚ずつ分離し搬送部１５へ繰り出す。入出金部１４の開口部としての入出金口５（図１）には、シャッタ１１が設けられている。入出金部１４は、入金取引時において顧客に紙幣を投入させる場合と、出金取引時において顧客に紙幣を受け渡す場合、シャッタ１１をユニット収納方向へスライド移動させてシャッタ開放状態（図９）とすることにより入出金口５を開放させる。一方入出金部１４は、入金取引時及び出金取引時以外の場合は、シャッタ１１を前方向へスライド移動させて入出金口５を閉塞させシャッタ閉塞状態（図２）とすることにより、入出金部１４からの紙幣の取り出しや外部からの入出金部１４への悪戯等を防止する。
【００２２】
また入出金部１４は、箱型に形成された入出金部フレーム２８を中心に構成されており、該入出金部フレーム２８は、前方下端部に設けられた回動軸を支点として回動可能となっている。入出金部１４は、取引動作時の場合には通常状態（図３）となることにより取引動作を行わせる。一方入出金部１４は、搬送部１５や鑑別部１６に詰まった紙幣が除去される保守作業時の場合には、図１６に示すように後側が上方へ持ち上がる入出金部開放状態となることにより、紙幣入出金機１０の外部から鑑別部１６へアクセス可能とさせる。
【００２３】
搬送部１５は、図示しないローラやベルト等により、図中太線で示す搬送路に沿って長方形の紙幣を短手方向に搬送する。搬送部１５は、鑑別部１６を前後方向に挿通させるように紙幣を搬送し、該鑑別部１６の後側と一時保留部１７、上側リジェクト庫１９Ｕ及び入出金部１４とをそれぞれ接続している。また搬送部１５は、鑑別部１６の前側と入出金部１４、紙幣収納庫１８及び下側リジェクト庫１９Ｄとを接続している。搬送部１５の分岐点には、セレクタ（図示せず）が設けられており、紙幣制御部１２（図１）の制御に基づき回動することにより、紙幣の搬送先を切り替える。
【００２４】
鑑別部１６は、その内部で紙幣を搬送しながら、光学素子や磁気検出素子等を用いて該紙幣の金種及び真偽、並びに損傷の程度等（正損）を鑑別し、その鑑別結果を紙幣制御部１２へ通知する。また鑑別部１６は、撮像した紙幣の画像データから、紙幣毎に付与されその紙幣の一面に予め印刷された英数字等で構成された記番号を読み取り識別する。このとき鑑別部１６は、識別した字を識別結果として紙幣制御部１２へ通知する。これに応じて紙幣制御部１２は、取得した鑑別結果及び識別結果に基づいて紙幣の搬送先を決定する。
【００２５】
また鑑別部１６は、搬送部１５よりも上側が、前方下端部に設けられた回動軸を支点として回動可能となっている。鑑別部１６は、取引動作時の場合には通常状態（図３）となることにより取引動作を行わせる。一方で鑑別部１６は、ジャム紙幣が該鑑別部１６内の搬送部１５から除去される保守作業時の場合には、図１８に示すように後側が上方へ持ち上がる鑑別部開放状態となることにより、鑑別部１６内の搬送部１５を外部に露出させる。
【００２６】
一時保留部１７は、入金時に顧客が入出金部１４へ投入した紙幣を一時的に保留し、鑑別部１６で入金可能と鑑別された入金可能紙幣を入金が確定するまで一時的に保留する。一方、入金不可と鑑別された入金リジェクト紙幣は入出金部１４へ排出される。また一時保留部１７は、出金時において鑑別部１６で出金不可能と鑑別された出金不可紙幣を、出金可能な紙幣が出金されるまで一時的に保留し、その後該出金不可紙幣を上側リジェクト庫１９Ｕへ排出する。
【００２７】
上側リジェクト庫１９Ｕは、直方体状に形成されると共に内部に紙幣を集積して収納する空間を有している。この上側リジェクト庫１９Ｕは、鑑別部１６及び紙幣制御部１２により、破損した紙幣（いわゆる損券）と鑑別された紙幣、偽造券と判別された紙幣及び５千券や２千券等の還流されない金種の紙幣等、再利用すべきで無いと判断された紙幣が搬送部１５により搬送されて来ると、該紙幣を内部に収納する。
【００２８】
［１−２−２．下部ユニットの構成］
下部ユニット１０Ｄには、下部スライドレール２２Ｄ（図４）を介して筐体２に取り付けられた下部フレーム２４が設けられている。下部フレーム２４には、再利用可能な紙幣を収納する複数の紙幣収納庫１８と、再利用すべきでない紙幣を収納する下側リジェクト庫１９Ｄとが着脱可能に設けられている。下部フレーム２４は、図４及び図６に示すように、筐体２に対して下部スライドレール２２Ｄにより前方向へ引き出され下部ユニット引出状態となる。また下部ユニット１０Ｄは、引き出された状態から筐体２に向かって後方向へ移動することにより収納され下部ユニット収納状態となる。すなわち下部ユニット１０Ｄは、筐体２に対して前後方向へ移動可能になっている。下部ユニット１０Ｄは、該下部ユニット１０Ｕ内部で紙幣ジャムが発生しジャム紙幣が取り除かれる場合や、紙幣収納庫１８、上側リジェクト庫１９Ｕ又は振分搬送部２６が交換される場合や、基板（図示せず）が交換される場合や、下部ユニット１０Ｄ内部を清掃される場合、筐体２から前方へ引き出される。
【００２９】
以下では、図４に示すように上部ユニット１０Ｕ及び下部ユニット１０Ｄが筐体２から引き出された状態をユニット引出状態とも呼び、図２に示すように上部ユニット１０Ｕ及び下部ユニット１０Ｄが筐体２に収納された状態をユニット収納状態とも呼び、上部ユニット１０Ｕのみが筐体２から引き出された状態を上部ユニット引出状態とも呼び、下部ユニット１０Ｄのみが筐体２から引き出された状態を下部ユニット引出状態とも呼ぶ。
【００３０】
図７に示すように上部ユニット１０Ｕ及び下部ユニット１０Ｄと筐体２の筐体左側内壁面２Ｓとの間には、隙間ＳＰが空いている。これにより現金自動取引装置１は、上部ユニット１０Ｕ及び下部ユニット１０Ｄを筐体２に対し収納又は引き出しさせる際に、上部ユニット１０Ｕ及び下部ユニット１０Ｄの各種部品が筐体２に衝突しないようにすると共に、保守員が上部ユニット１０Ｕ及び下部ユニット１０Ｄと筐体２の筐体左側内壁面２Ｓとの間に手を挟んでしまうことを防止している。また上部ユニット１０Ｕ及び下部ユニット１０Ｄは、筐体２から引き出された際に、左側面側から保守作業が行われるように構成されている。以下では上部ユニット１０Ｕ及び下部ユニット１０Ｄにおける左側面側を保守面側とも呼ぶ。
【００３１】
また入出金部フレーム２８の左端部には、筐体２の筐体左側内壁面２Ｓと左右方向に対向し上下前後方向に沿って延びる平面形状であるユニット側面としてのフレーム左側面２８Ｌが形成されている。入出金部フレーム２８のフレーム左側面２８Ｌと筐体２の筐体左側内壁面２Ｓとの間には、隙間ＳＰが空いている。この隙間ＳＰの左右方向に沿った長さ、すなわちフレーム左側面２８Ｌと筐体左側内壁面２Ｓとの間隔は、壁面間隔Ｃ１（図１２）となっている。
【００３２】
下部ユニット１０Ｄ（図３）は、紙幣収納庫１８及び下側リジェクト庫１９Ｄの上面に振分搬送部２６が取り付けられている。振分搬送部２６は、搬送モータ、センサ及びブレード等の複数種類の搬送路形成部品により、上部ユニット１０Ｕから搬送されたリジェクト紙幣や正常な紙幣を、搬送先を適宜切り換えて下側リジェクト庫１９Ｄや紙幣収納庫１８へ振り分けるように搬送する。
【００３３】
下部フレーム２４内には、前側から後側へ向けて順に５個の紙幣収納庫１８が設けられている。各紙幣収納庫１８は、何れも同様に構成されており、上下方向に長い直方体状に形成されると共に内部に紙幣を集積して収納する空間を有している。各紙幣収納庫１８は、それぞれ収納すべき紙幣の金種が予め設定されている。この紙幣収納庫１８は、鑑別部１６及び紙幣制御部１２により損傷の程度が小さく再利用が可能であると判断された紙幣が、その金種に応じて搬送部１５により搬送されてくると、該紙幣を内部に集積して収納する。また紙幣収納庫１８は、紙幣制御部１２から紙幣を繰り出す指示を受け付けると、集積している紙幣を１枚ずつに分離して繰り出し、搬送部１５に受け渡す。
【００３４】
下側リジェクト庫１９Ｄは、下部フレーム２４内における紙幣収納庫１８の後方に位置しており、上下方向に長い直方体状に形成されると共に内部に紙幣を集積して収納する空間を有している。この下側リジェクト庫１９Ｄは、鑑別部１６及び紙幣制御部１２により、破損した紙幣（いわゆる損券）と鑑別された紙幣、偽造券と判別された紙幣及び５千券や２千券等の還流されない金種の紙幣等、再利用すべきで無いと判断された紙幣が搬送部１５により搬送されて来ると、該紙幣を内部に収納する。
【００３５】
かかる構成において現金自動取引装置１は、鑑別部１６による紙幣の鑑別結果及び識別結果等をもとに主制御部９及び紙幣制御部１２が各部を制御して、紙幣の入金処理及び出金処理等を行う。
【００３６】
［１−３．操作ノブ及び操作ノブカバーの構成］
上述したように図１２に示す入出金部フレーム２８の左端部には、筐体２の筐体左側内壁面２Ｓと左右方向に対向し上下前後方向に沿って延びる平面形状であるフレーム左側面２８Ｌが形成されている。入出金部フレーム２８のフレーム左側面２８Ｌと筐体２の筐体左側内壁面２Ｓとの間には、隙間ＳＰが空いている。
【００３７】
フレーム左側面２８Ｌには、筐体左側内壁面２Ｓから離隔する方向である右方向に向かって直方体形状に凹む凹部３０が凹設されており、該凹部３０の右端部には、左方を向く壁面である凹壁面３０Ｓが形成されている。凹壁面３０Ｓには、円板状に構成されたシャッタ操作ノブ３２がフレーム左側面２８Ｌよりも左側へ露出しないように設けられている。これによりシャッタ操作ノブ３２は凹部３０内に配置されている。シャッタ操作ノブ３２は、シャッタ１１（図２）と連動しており、保守作業等の際に保守員に手動で回転されると、その力をシャッタ１１に伝達して該シャッタ１１を前後方向へスライド移動させる。
【００３８】
入出金部フレーム２８の凹部３０には、シャッタ操作ノブ３２よりも左側（すなわち外側）に、該シャッタ操作ノブ３２を覆うシャッタ操作ノブカバー３４が設けられている。図１１に示すようにシャッタ操作ノブカバー３４は、全体として右側が開口するよう板状部材が組み合わされており、正面視で三角形状に形成され、前側に三角形状の前側板３４Ｆが、後側に三角形状の後側板３４Ｂが、左側に長方形状の左側板３４Ｌが、下側に長方形状の下側板３４Ｄがそれぞれ形成されていると共に、これら前側板３４Ｆ、後側板３４Ｂ、左側板３４Ｌ及び下側板３４Ｄにより囲まれる操作ノブ被覆空間３４Ｓが形成されている。またシャッタ操作ノブカバー３４は、左側板３４Ｌと下側板３４Ｄとが接する箇所において角部３４Ｃが形成されている。以下では前側板３４Ｆ、後側板３４Ｂ、左側板３４Ｌ及び下側板３４Ｄをまとめて側板部とも呼ぶ。
【００３９】
操作ノブ被覆空間３４Ｓは、シャッタ操作ノブ３２の左側を完全に覆う程度に大きく形成されている。また前側板３４Ｆ及び後側板３４Ｂの上側の頂点近傍には、円柱状のノブカバー回動軸３５が前後方向に沿って挿通している。ノブカバー回動軸３５は、前後端部が凹部３０に支持されており、凹部３０に対し、シャッタ操作ノブカバー３４を正面視で時計回りとなる露出方向Ｕ１又はその反対の被覆方向Ｕ２へ回動させる。またシャッタ操作ノブカバー３４は、図示しないスプリングにより被覆方向Ｕ２へ付勢されている。
【００４０】
すなわちシャッタ操作ノブカバー３４は、スプリングにより被覆方向Ｕ２へ付勢されているものの、図１２に示すように所定箇所を入出金部フレーム２８に当接させることにより被覆方向Ｕ２への回動が抑制され、操作ノブ被覆空間３４Ｓによりシャッタ操作ノブ３２を覆った状態となる。以下ではこの状態を被覆状態とも呼ぶ。この被覆状態においては、シャッタ操作ノブカバー３４の下側板３４Ｄの右端部が、入出金部フレーム２８のフレーム左側面２８Ｌよりも凹部３０の凹壁面３０Ｓ側（すなわち右側）へ入り込むと共に、左側板３４Ｌの左側面３４ＬＳが入出金部フレーム２８のフレーム左側面２８Ｌとほぼ面一となっている。ここでシャッタ操作ノブカバー３４は、入出金部フレーム２８のフレーム左側面２８Ｌよりも左右方向に沿って入り込み量Ｅ１だけ凹部３０の凹壁面３０Ｓ側（すなわち右側）へ入り込んでいる。被覆状態においてシャッタ操作ノブカバー３４は、それぞれ前側板３４Ｆ、後側板３４Ｂ、左側板３４Ｌ及び下側板３４Ｄにより、前方向、後方向、左方向及び下方向からのシャッタ操作ノブ３２への操作を防止する。
【００４１】
一方シャッタ操作ノブカバー３４は、保守作業等の際に上部ユニット引出状態において角部３４Ｃが左側へ移動するように保守員により露出方向Ｕ１へ回動されると、図８及び図１３に示すように、シャッタ操作ノブ３２を露出させた状態となる。以下ではこの状態を露出状態とも呼ぶ。この露出状態においては、シャッタ操作ノブカバー３４の左端部が、入出金部フレーム２８のフレーム左側面２８Ｌよりも左右方向に沿って露出状態時突出量Ｈ１だけ（すなわち左側）へ突出している。この露出状態時突出量Ｈ１は、壁面間隔Ｃ１よりも広く設定されている。
【００４２】
このようにシャッタ操作ノブカバー３４は、露出方向Ｕ１又は被覆方向Ｕ２へ回動することにより、シャッタ操作ノブ３２を露出させ、又は被覆する。一方でシャッタ操作ノブカバー３４は、被覆状態から露出状態へ遷移する際に、左右方向にある程度の空間を要し、 具体的には入出金部フレーム２８のフレーム左側面２８Ｌよりも左側へ露出状態時突出量Ｈ１だけ要することとなる。
【００４３】
上部ユニット収納状態（図７）において、保守員によりシャッタ操作ノブカバー３４が露出方向Ｕ１へ回動されると、フレーム左側面２８Ｌと筐体左側内壁面２Ｓとの間に露出状態時突出量Ｈ１よりも狭い間隔である壁面間隔Ｃ１しか空いていないため、図１０及び図１４に示すように角部３４Ｃが筐体２の筐体左側内壁面２Ｓに当接し、それ以上の露出方向Ｕ１への回動が抑制された状態となる。以下ではこの状態を内壁面衝突状態とも呼ぶ。この内壁面衝突状態においては、シャッタ操作ノブカバー３４の一部分が、入出金部フレーム２８のフレーム左側面２８Ｌよりも凹部３０の凹壁面３０Ｓ側（すなわち右側）へ入り込んでおり、シャッタ操作ノブカバー３４とフレーム左側面２８Ｌとの間の隙間がほぼ全てなくなっていることにより、ドライバ等の工具であっても外部からシャッタ操作ノブ３２にはアクセスできなくなっている。なお図７（Ｃ）及び図８（Ｃ）においては、筐体２の前面側の扉が開放された状態を示している。
【００４４】
このようにシャッタ操作ノブカバー３４は、被覆状態から露出状態へ遷移する際に、筐体２の筐体左側内壁面２Ｓに対し近接するように移動するようにした。また現金自動取引装置１は、壁面間隔Ｃ１を露出状態時突出量Ｈ１よりも狭く設定するようにした。このためシャッタ操作ノブカバー３４は、上部ユニット収納状態（図７）においては、被覆状態から限界まで開放され内壁面衝突状態となったとしてもシャッタ操作ノブ３２を覆い続けることにより、シャッタ操作ノブ３２が外部から操作されることを防止できる。
【００４５】
またシャッタ操作ノブカバー３４は、上部ユニット引出状態（図８）においては露出状態時突出量Ｈ１よりも広い空間が入出金部フレーム２８のフレーム左側面２８Ｌの左側に形成されるため、被覆状態から露出状態まで遷移可能となり、上部ユニット収納状態（図７）においては露出状態時突出量Ｈ１よりも狭い空間が入出金部フレーム２８のフレーム左側面２８Ｌの左側に形成されるため、被覆状態から露出状態までは遷移不可能となり内壁面衝突状態となる。
【００４６】
これによりシャッタ操作ノブカバー３４は、上部ユニット引出状態（図８）においては露出状態へ遷移可能となりシャッタ操作ノブ３２への操作を許容する一方、上部ユニット収納状態（図７）においては露出状態へ遷移不可能となりシャッタ操作ノブ３２への操作を許容しないことができる。
【００４７】
このように現金自動取引装置１は、必ず必要となる隙間ＳＰを保ちながらも、上部ユニット収納状態においては、外部から該隙間ＳＰを介しシャッタ操作ノブ３２を操作されることを防止できる。
【００４８】
［１−４．ジャム紙幣の除去］
［１−４−１．入出金部のジャム紙幣の除去］
かかる構成において、図７に示すように入出金部１４内部でジャム紙幣ＢＬ１が詰まる紙幣ジャムが発生した場合、現金自動取引装置１は、図８に示すように上部ユニット１０Ｕが引き出されて上部ユニット引出状態とされる。続いて現金自動取引装置１は、シャッタ操作ノブカバー３４が開放されて被覆状態から露出状態へ遷移することにより保守員がシャッタ操作ノブ３２を操作可能な状態とする。続いて現金自動取引装置１は、図９に示すようにシャッタ操作ノブ３２を回転されることによりシャッタ１１を後方向へスライド移動させてシャッタ開放状態とし、入出金口５（図１）を開放させる。続いて現金自動取引装置１は、外部に露出したジャム紙幣ＢＬ１が入出金部１４内部から除去される。
【００４９】
［１−４−２．鑑別部のジャム紙幣の除去］
一方鑑別部１６内部でジャム紙幣ＢＬ２が詰まる紙幣ジャムが発生した場合、現金自動取引装置１は、図１５に示すように上部ユニット１０Ｕが引き出されて上部ユニット引出状態とされる。続いて現金自動取引装置１は、上部ユニット引出状態において図１６に示すように入出金部開放状態及び鑑別部開放状態にされ、外部に露出したジャム紙幣ＢＬ２が除去される。
【００５０】
［１−４−３．搬送部のジャム紙幣の除去］
一方、図１８に示すように搬送部１５でジャム紙幣ＢＬ３が詰まる紙幣ジャムが発生した場合、現金自動取引装置１は、図１７に示すように上部ユニット１０Ｕが引き出されて上部ユニット引出状態とされる。ここで上部ユニット１０Ｕのフレームには、シャッタ操作ノブ３２と同様に構成された搬送部操作ノブ４０が設けられている。搬送部操作ノブ４０は、搬送部１５のローラ（図２）と連動しており、保守作業等の際に保守員に手動で回転されると、その力をローラに伝達して該ローラを回転させる。上部ユニット１０Ｕのフレームには、搬送部操作ノブ４０よりも左側（すなわち外側）に、シャッタ操作ノブ３２と同様に構成され該搬送部操作ノブ４０を覆う搬送部操作ノブカバー４２が設けられている。搬送部操作ノブカバー４２は、被覆状態において搬送部操作ノブ４０を覆うことにより搬送部操作ノブ４０への操作を防止すると共に、上部ユニット引出状態において露出状態となると搬送部操作ノブ４０を露出させることにより搬送部操作ノブ４０の操作を許容する。また搬送部操作ノブカバー４２は、上部ユニット収納状態において被覆状態から回動されると、内壁面衝突状態となり、搬送部操作ノブ４０への操作を防止する。
【００５１】
現金自動取引装置１は、上部ユニット引出状態において図１８に示すように入出金部開放状態及び鑑別部開放状態にされる。続いて現金自動取引装置１は、搬送部操作ノブカバー４２が開放されて被覆状態から露出状態へ遷移することにより保守員が搬送部操作ノブ４０を操作可能な状態とする。続いて現金自動取引装置１は、図１９に示すように搬送部操作ノブ４０を回転されることによりジャム紙幣ＢＬ３を鑑別部１６まで搬送し、外部に露出したジャム紙幣ＢＬ３が除去される。
【００５２】
［１−５．効果］
ここで仮に、上部ユニット収納状態においてシャッタ操作ノブカバー３４が被覆状態から露出状態まで開放されてしまう構成の場合、上部ユニット収納状態においてシャッタ操作ノブ３２の誤操作は防止できるものの、上部ユニット引出状態とせずに上部ユニット収納状態においても、筐体２の外部から隙間ＳＰに手を入れられて、シャッタ操作ノブ３２が操作可能となる。そのような場合現金自動取引装置１は、シャッタ操作ノブ３２が回転されてシャッタ閉塞状態からシャッタ開放状態にされ、現金自動取引装置１内の紙幣を取り扱う権限を有していない保守員に対しても、入出金部１４から紙幣を抜き取って持ち出されてしまう可能性がある。
【００５３】
これに対し現金自動取引装置１は、上部ユニット収納状態においてはシャッタ操作ノブカバー３４が被覆状態から内壁面衝突状態までしか遷移しないことにより、上部ユニット収納状態においてシャッタ操作ノブ３２の誤操作を防止しつつ、筐体２の外部からシャッタ操作ノブ３２を操作させないようにできる。これにより現金自動取引装置１は、上部ユニット１０Ｕを引き出す権限を有しない保守員、すなわち現金自動取引装置１内の紙幣を取り扱う権限を有していない保守員に対しては、入出金部１４から紙幣を抜き取らせないようにできる。
【００５４】
一方現金自動取引装置１は、上部ユニット引出状態においてはシャッタ操作ノブカバー３４の回動軌跡上に筐体左側内壁面２Ｓが存在しない状態とすることにより、シャッタ操作ノブカバー３４を露出状態まで遷移可能にした。このため現金自動取引装置１は、上部ユニット１０Ｕを引き出す権限を有する保守員に対しては、シャッタ操作ノブカバー３４を被覆状態から露出状態まで遷移させてシャッタ操作ノブ３２を操作可能にさせることができ、シャッタ１１をシャッタ閉鎖状態からシャッタ開放状態まで遷移させて、入出金部１４から紙幣を除去させることができる。
【００５５】
また現金自動取引装置１は、被覆状態と露出状態との間を遷移する際に、ユニット移動方向（すなわち前後方向）に直交する方向（すなわち左右方向）を含む方向へシャッタ操作ノブカバー３４を回動させる、すなわち筐体２の筐体左側内壁面２Ｓに対し離接するようにシャッタ操作ノブカバー３４を回動させるようにした。これにより現金自動取引装置１は、上部ユニット１０Ｕをユニット移動方向に沿って移動させるだけで、シャッタ操作ノブカバー３４が被覆状態から露出状態まで回動可能となる空間をフレーム左側面２８Ｌの左側に形成するか否かを切り替えることができる。
【００５６】
以上の構成によれば現金自動取引装置１は、筐体２と、筐体２に対して、該筐体２の外部から内部に収納又は該筐体２の内部から外部へ引き出し可能に設けられる紙幣入出金機１０とを設け、紙幣入出金機１０は、紙幣入出金機１０内部の機構を手動で操作するシャッタ操作ノブ３２と、シャッタ操作ノブ３２を覆う被覆状態と、該シャッタ操作ノブ３２を露出させた露出状態との間で遷移可能に構成され、紙幣入出金機１０が筐体２の内部に収納された収納状態としての上部ユニット状態において、被覆状態から露出状態への遷移を筐体２内部の壁面である筐体左側内壁面２Ｓと接触することにより規制するシャッタ操作ノブカバー３４とを有するようにした。これにより現金自動取引装置１は、上部ユニット収納状態においてはシャッタ操作ノブカバー３４でシャッタ操作ノブ３２を覆い続けることにより、権限を有しない者によって該シャッタ操作ノブ３２が操作されてしまうことを防止できる。
【００５７】
［２．第２の実施の形態］
［２−１．現金自動取引装置及び紙幣入出金機の内部構成］
第２の実施の形態による現金自動取引装置１０１（図１及び図２）は、第１の実施の形態による現金自動取引装置１と比較して、紙幣入出金機１０に代わる紙幣入出金機１１０を有する点において相違するものの、他の点については同様に構成されている。図１２と対応する部材に同一符号を付した図２０に示すように、紙幣入出金機１１０は、第１の実施の形態による紙幣入出金機１０と比較して、シャッタ操作ノブカバー３４に代わるシャッタ操作ノブカバー１３４を有する点において相違するものの、他の点については同様に構成されている。
【００５８】
［２−２．操作ノブカバーの構成］
シャッタ操作ノブカバー１３４は、第１の実施の形態によるシャッタ操作ノブカバー３４（図１２）と比較して、左側板３４Ｌの下端部の左側に当接部１３４Ｔが追加されたような構成となっている。左側板３４Ｌは、可撓性を有し、板状に形成されており、図２０に示すように被覆状態において凹部３０を隙間なく左側から覆うと共に、図２１に示す露出移行状態において凹部３０に対し上方向である閉鎖方向Ｄ１と下方向である開放方向Ｄ２とにスライド移動可能に構成されている。また左側板３４Ｌは、被覆状態（図２０）から、下端部が筐体左側内壁面２Ｓへ近接する左側である露出方向Ｕ１（図２１）へ撓むように構成されている。下側板３４Ｄは、左側板３４Ｌの下端部において右方向に向かって突出しており、被覆状態において右端部が、入出金部フレーム２８のフレーム左側面２８Ｌよりも凹部３０の凹壁面３０Ｓ側（すなわち右側）へ入り込んでいる。この被覆状態においてシャッタ操作ノブカバー１３４は、入出金部フレーム２８のフレーム左側面２８Ｌから、左右方向に沿って当接部１３４Ｔと筐体左側内壁面２Ｓとの間隔よりも長く凹部３０の凹壁面３０Ｓ側（すなわち右側）へ入り込んでいる。当接部１３４Ｔは、左側板３４Ｌの下端部において左方向に向かって突出しており、図２３に示す内壁面衝突状態において左端部が筐体２の筐体左側内壁面２Ｓに当接し、それ以上の露出方向Ｕ１への左側板３４Ｌの撓みが抑制される。
【００５９】
かかる構成においてシャッタ操作ノブカバー１３４は、被覆状態（図２０）において左側板３４Ｌで凹部３０を隙間なく左側から覆うことでシャッタ操作ノブ３２を覆うと共に、下側板３４Ｄの右端部を、入出金部フレーム２８のフレーム左側面２８Ｌよりも凹部３０の凹壁面３０Ｓ側（すなわち右側）へ入り込ませることにより、外部からのシャッタ操作ノブ３２への操作を防止する。またシャッタ操作ノブカバー１３４は、保守作業等の際に上部ユニット引出状態において、下側板３４Ｄの右端部が入出金部フレーム２８のフレーム左側面２８Ｌよりも左側に位置するまで、当接部１３４Ｔが左側へ移動するように保守員により左側板３４Ｌが露出方向Ｕ１へ撓ませられると、露出移行状態（図２１）となる。この露出移行状態においてシャッタ操作ノブカバー１３４は、下側板３４Ｄが凹部３０から抜け出ているため、入出金部フレーム２８のフレーム左側面２８Ｌよりも左側において上下方向に沿ってスライド移動可能となる。さらにシャッタ操作ノブカバー１３４は、露出移行状態（図２１）から、凹部３０が全て露出するまで保守員により開放方向Ｄ２へスライド移動されると、露出状態（図２２）となり、シャッタ操作ノブ３２の操作を可能な状態とする。
【００６０】
一方シャッタ操作ノブカバー１３４は、上部ユニット収納状態のまま保守員等により露出方向Ｕ１へ撓ませられると、入出金部フレーム２８のフレーム左側面２８Ｌから、当接部１３４Ｔと筐体左側内壁面２Ｓとの間隔よりも長く凹部３０の凹壁面３０Ｓ側へ入り込んでいるため、図２３に示すように当接部１３４Ｔが筐体２の筐体左側内壁面２Ｓに当接し、それ以上の露出方向Ｕ１への撓みが抑制された内壁面衝突状態となる。この内壁面衝突状態においては、シャッタ操作ノブカバー１３４の下側板３４Ｄが、入出金部フレーム２８のフレーム左側面２８Ｌよりも凹部３０の凹壁面３０Ｓ側（すなわち右側）へ入り込んでおり、シャッタ操作ノブカバー１３４とフレーム左側面２８Ｌとの間の隙間がほぼ全てなくなっていることにより、ドライバ等の工具であっても外部からシャッタ操作ノブ３２にはアクセスできなくなっている。
【００６１】
このようにシャッタ操作ノブカバー１３４は、上部ユニット収納状態においては、被覆状態（図２０）から露出方向Ｕ１へ撓んで内壁面衝突状態（図２３）までしか遷移しないことにより露出方向Ｕ１への撓みが抑制されてシャッタ操作ノブ３２を覆い続け、外部からシャッタ操作ノブ３２を操作できないようにした。これによりシャッタ操作ノブカバー１３４は、上部ユニット１０Ｕを引き出す権限を有しない保守員に対しては、入出金部１４から紙幣を抜き取らせないようにできる。
【００６２】
その他の点においても、第２の実施の形態によるシャッタ操作ノブカバー１３４は、第１の実施の形態によるシャッタ操作ノブカバー３４と同様の作用効果を奏し得る。
【００６３】
［３．第３の実施の形態］
［３−１．現金自動取引装置及び紙幣入出金機の内部構成］
第３の実施の形態による現金自動取引装置２０１（図１及び図２）は、第１の実施の形態による現金自動取引装置１と比較して、紙幣入出金機１０に代わる紙幣入出金機２１０を有する点において相違するものの、他の点については同様に構成されている。図１２と対応する部材に同一符号を付した図２４に示すように、紙幣入出金機２１０は、第１の実施の形態による紙幣入出金機１０と比較して、シャッタ操作ノブカバー３４に代わるシャッタ操作ノブカバー２３４を有する点において相違するものの、他の点については同様に構成されている。
【００６４】
［３−２．操作ノブカバーの構成］
シャッタ操作ノブカバー２３４は、操作ノブカバー部２４４及びノブカバー部ストッパ２４６により構成されている。操作ノブカバー部２４４は、板状に形成されており、図２４に示すように被覆状態において凹部３０を隙間なく左側から覆うと共に、図２５に示す露出移行状態において凹部３０に対し上方向である閉鎖方向Ｄ１と下方向である開放方向Ｄ２とにスライド移動可能に構成されている。また操作ノブカバー部２４４は、図２４に示す被覆状態と図２７に示す内壁面衝突状態とにおいて下端部がノブカバー部ストッパ２４６に当接し、それ以上の開放方向Ｄ２への移動が抑制される。
【００６５】
ノブカバー部ストッパ２４６は、被覆状態（図２４）において操作ノブカバー部２４４の下側に位置することにより該操作ノブカバー部２４４の下端部に当接し、該操作ノブカバー部２４４の開放方向Ｄ２への移動を抑制する。このノブカバー部ストッパ２４６は、引張バネであるスプリング２４７により、入出金部フレーム２８のフレーム左側面２８Ｌ側（すなわち右側）である開放抑制方向Ｄ３へ付勢されているものの、フレーム左側面２８Ｌに当接することにより開放抑制方向Ｄ３への移動が抑制され、操作ノブカバー部２４４の下端部に当接し該操作ノブカバー部２４４の開放方向Ｄ２への移動を抑制する状態となる。一方ノブカバー部ストッパ２４６は、図２７に示す内壁面衝突状態において左端部が筐体２の筐体左側内壁面２Ｓに当接し、それ以上の左方である開放非抑制方向Ｄ４への移動が抑制される。この内壁面衝突状態においてノブカバー部ストッパ２４６は、フレーム左側面２８Ｌとの間に、ノブカバー部ストッパ２４６の左右方向の厚みよりも狭い間隔を空けている。このためノブカバー部ストッパ２４６は、操作ノブカバー部２４４の下端部に当接し該操作ノブカバー部２４４の開放方向Ｄ２への移動を抑制する状態となる。
【００６６】
かかる構成において操作ノブカバー部２４４は、被覆状態（図２４）において凹部３０を隙間なく左側から覆うことでシャッタ操作ノブ３２を覆うことにより、外部からのシャッタ操作ノブ３２への操作を防止する。またノブカバー部ストッパ２４６は、保守作業等の際に上部ユニット引出状態において、右端部が操作ノブカバー部２４４の左端部よりも左側に位置するまで、スプリング２４７の付勢力に逆らって開放非抑制方向Ｄ４へ移動されると、露出移行状態（図２５）となる。この露出移行状態において操作ノブカバー部２４４は、ノブカバー部ストッパ２４６が該操作ノブカバー部２４４のスライド移動軌跡上に位置していない状態となるため、入出金部フレーム２８のフレーム左側面２８Ｌよりも左側において上下方向に沿ってスライド移動可能となる。さらに操作ノブカバー部２４４は、露出移行状態（図２５）から、凹部３０が全て露出するまで保守員により開放方向Ｄ２へスライド移動されると、露出状態（図２６）となり、シャッタ操作ノブ３２の操作を可能な状態とする。
【００６７】
一方ノブカバー部ストッパ２４６は、上部ユニット収納状態のまま保守員等により開放非抑制方向Ｄ４へ移動されると、図２７に示すように筐体２の筐体左側内壁面２Ｓに当接し、それ以上の開放非抑制方向Ｄ４への移動が抑制された内壁面衝突状態となる。この内壁面衝突状態においては、ノブカバー部ストッパ２４６が操作ノブカバー部２４４の開放方向Ｄ２側に入り込んでおり、該操作ノブカバー部２４４のそれ以上の開放方向Ｄ２への移動を抑制する。このため内壁面衝突状態においては、操作ノブカバー部２４４とフレーム左側面２８Ｌとの間の隙間がほぼ全てなくなっていることにより、ドライバ等の工具であっても外部からシャッタ操作ノブ３２にはアクセスできなくなっている。
【００６８】
このようにシャッタ操作ノブカバー２３４は、上部ユニット収納状態においては、ノブカバー部ストッパ２４６が開放非抑制方向Ｄ４へ移動して内壁面衝突状態までしか遷移しないことにより開放非抑制方向Ｄ４への移動が抑制され、該ノブカバー部ストッパ２４６が開放方向Ｄ２への操作ノブカバー部２４４の移動を抑制することにより、操作ノブカバー部２４４がシャッタ操作ノブ３２を覆い続け、外部からシャッタ操作ノブ３２を操作できないようにした。これによりシャッタ操作ノブカバー２３４は、上部ユニット１０Ｕを引き出す権限を有しない保守員に対しては、入出金部１４から紙幣を抜き取らせないようにできる。
【００６９】
その他の点においても、第３の実施の形態によるシャッタ操作ノブカバー２３４は、第１の実施の形態によるシャッタ操作ノブカバー３４と同様の作用効果を奏し得る。
【００７０】
［４．第４の実施の形態］
［４−１．現金自動取引装置及び紙幣入出金機の内部構成］
第４の実施の形態による現金自動取引装置３０１（図１及び図２）は、第３の実施の形態による現金自動取引装置２０１と比較して、紙幣入出金機２１０に代わる紙幣入出金機３１０を有する点において相違するものの、他の点については同様に構成されている。図２４と対応する部材に同一符号を付した図２８に示すように、紙幣入出金機３１０は、第３の実施の形態による紙幣入出金機２１０と比較して、シャッタ操作ノブカバー２３４に代わるシャッタ操作ノブカバー３３４を有する点において相違するものの、他の点については同様に構成されている。
【００７１】
［４−２．操作ノブカバーの構成］
シャッタ操作ノブカバー３３４は、第３の実施の形態によるシャッタ操作ノブカバー２３４（図２４）と比較して、操作ノブカバー部２４４及びノブカバー部ストッパ２４６に代わる操作ノブカバー部３４４及びノブカバー部ストッパ３４６を有している。
【００７２】
操作ノブカバー部３４４は、板状に形成されており、図２８に示すように被覆状態において凹部３０を隙間なく左側から覆っている。また操作ノブカバー部３４４は、上端近傍に設けられた回動軸を支点として正面視で時計回りとなる露出方向Ｕ１又はその反対の被覆方向Ｕ２へ回動する。また操作ノブカバー部３４４は、図２８に示す被覆状態と図３１に示す内壁面衝突状態とにおいて下端部がノブカバー部ストッパ３４６に当接し、それ以上の露出方向Ｕ１への回動が抑制される。
【００７３】
ノブカバー部ストッパ３４６は、被覆状態（図２８）において操作ノブカバー部３４４の下端部近傍における左側に位置することにより該操作ノブカバー部３４４の左側面に当接し、該操作ノブカバー部３４４の露出方向Ｕ１への回動を抑制する。またノブカバー部ストッパ３４６は、前端部近傍に設けられた回動軸を支点として平面視で時計回りとなる開放抑制方向Ｄ３又はその反対の開放非抑制方向Ｄ４へ回動する。ノブカバー部ストッパ３４６は、図３１に示す内壁面衝突状態において後端部が筐体２の筐体左側内壁面２Ｓに当接し、それ以上の左方である開放非抑制方向Ｄ４への回動が抑制される。この内壁面衝突状態においてノブカバー部ストッパ３４６は、操作ノブカバー部３４４の回動軌跡上に位置している。ノブカバー部ストッパ３４６は、操作ノブカバー部３４４の下端部近傍に当接し該操作ノブカバー部３４４の露出方向Ｕ１への回動を抑制する状態となる。
【００７４】
かかる構成において操作ノブカバー部３４４は、被覆状態（図２８）において凹部３０を隙間なく左側から覆うことでシャッタ操作ノブ３２を覆うことにより、外部からのシャッタ操作ノブ３２への操作を防止する。またノブカバー部ストッパ３４６は、保守作業等の際に上部ユニット引出状態において、操作ノブカバー部３４４の回動軌跡から外れるまで開放非抑制方向Ｄ４へ回動されると、露出移行状態（図２９）となる。この露出移行状態において操作ノブカバー部３４４は、ノブカバー部ストッパ３４６が該操作ノブカバー部３４４の回動軌跡から外れた状態となるため、露出方向Ｕ１へ回動可能となる。さらに操作ノブカバー部３４４は、露出移行状態（図２９）から、凹部３０が全て露出するまで保守員により露出方向Ｕ１へ回動されると、露出状態（図３０）となり、シャッタ操作ノブ３２の操作を可能な状態とする。
【００７５】
一方ノブカバー部ストッパ３４６は、上部ユニット収納状態のまま保守員等により開放非抑制方向Ｄ４へ回動されると、図３１に示すように筐体２の筐体左側内壁面２Ｓに当接し、それ以上の開放非抑制方向Ｄ４への回動が抑制された内壁面衝突状態となる。この内壁面衝突状態においては、ノブカバー部ストッパ３４６が操作ノブカバー部３４４の露出方向Ｕ１側に位置しており、該操作ノブカバー部３４４のそれ以上の露出方向Ｕ１への移動を抑制する。このため内壁面衝突状態においては、操作ノブカバー部３４４とフレーム左側面２８Ｌとの間の隙間がほぼ全てなくなっていることにより、ドライバ等の工具であっても外部からシャッタ操作ノブ３２にはアクセスできなくなっている。
【００７６】
このようにシャッタ操作ノブカバー３３４は、上部ユニット収納状態（図７）においては、ノブカバー部ストッパ３４６が回動して内壁面衝突状態までしか遷移しないことにより開放非抑制方向Ｄ４への回動が抑制され、該ノブカバー部ストッパ３４６が露出方向Ｕ１への操作ノブカバー部３４４の移動を抑制することにより、操作ノブカバー部３４４がシャッタ操作ノブ３２を覆い続け、外部からシャッタ操作ノブ３２を操作できないようにした。これによりシャッタ操作ノブカバー３３４は、上部ユニット１０Ｕを引き出す権限を有しない保守員に対しては、入出金部１４から紙幣を抜き取らせないようにできる。
【００７７】
その他の点においても、第３の実施の形態によるシャッタ操作ノブカバー２３４は、第１の実施の形態によるシャッタ操作ノブカバー３４と同様の作用効果を奏し得る。
【００７８】
［５．他の実施の形態］
なお上述した第１の実施の形態においては、入出金部１４のシャッタ１１をスライド移動させるシャッタ操作ノブ３２を覆うシャッタ操作ノブカバー３４に本発明を適用する場合について述べた。本発明はこれに限らず、搬送部１５のローラを回転させる搬送部操作ノブ４０を覆う搬送部操作ノブカバー４２等、種々のカバーに本発明を適用しても良い。搬送部操作ノブ４０を搬送部操作ノブカバー４２で覆った場合、上部ユニット収納状態においては外部から搬送部操作ノブ４０を操作できなくできるため、搬送部１５内で紙幣を紛失してしまったり、紙幣が破れて紙幣入出金機１０を破損させてしまったりすることを防止できる。第２乃至第４の実施の形態についても同様である。
【００７９】
また上述した第１の実施の形態においては、内壁面衝突状態においてシャッタ操作ノブカバー３４とフレーム左側面２８Ｌとの間の隙間をほぼ全てなくす場合について述べた。本発明はこれに限らず、内壁面衝突状態においてシャッタ操作ノブカバー３４とフレーム左側面２８Ｌとの間の隙間は、外部から指を挿入されない程度であれば空いていても良い。第２乃至第４の実施の形態についても同様である。
【００８０】
さらに上述した第１の実施の形態においては、フレーム左側面２８Ｌよりも左側へ露出しないように設けられたシャッタ操作ノブ３２を覆うシャッタ操作ノブカバー３４に本発明を適用する場合について述べた。本発明はこれに限らず、図３２に示すようにフレーム左側面２８Ｌよりも左側へ露出するシャッタ操作ノブ１０３２を覆うシャッタ操作ノブカバー１０３４に本発明を適用しても良い。第２乃至第４の実施の形態についても同様である。
【００８１】
さらに上述した第１の実施の形態においては、被覆状態においてシャッタ操作ノブカバー３４の左側面３４ＬＳと入出金部フレーム２８のフレーム左側面２８Ｌとがほぼ面一となる場合について述べた。本発明はこれに限らず、被覆状態においてシャッタ操作ノブカバー３４の左側面３４ＬＳは、入出金部フレーム２８のフレーム左側面２８Ｌよりも左側に位置していても良く、又はフレーム左側面２８Ｌよりも右側へ位置していても良い。第２乃至第４の実施の形態についても同様である。
【００８２】
さらに上述した第１の実施の形態においては、シャッタ操作ノブカバー３４が、該シャッタ操作ノブカバー３４の上端部に設けられたノブカバー回動軸３５を支点として回動する場合について述べた。本発明はこれに限らず、シャッタ操作ノブカバー３４の例えば下端部等、種々の位置に設けられた回動軸を支点としてシャッタ操作ノブカバー３４が回動しても良い。
【００８３】
さらに上述した第１の実施の形態においては、上部ユニット１０Ｕの左側面側に設けられたシャッタ操作ノブ３２を覆うシャッタ操作ノブカバー３４に本発明を適用する場合について述べた。本発明はこれに限らず、上部ユニット１０Ｕの右側面側に設けられたシャッタ操作ノブを覆うシャッタ操作ノブカバーに本発明を適用しても良い。その場合、保守作業の効率を保つため、シャッタ操作ノブは上部ユニット１０Ｕの後側や上側や下側ではない箇所に設けられていることが望ましい。第２乃至第４の実施の形態についても同様である。
【００８４】
さらに本発明は、上述した各実施の形態及び他の実施の形態に限定されるものではない。すなわち本発明は、上述した各実施の形態と上述した他の実施の形態の一部又は全部を任意に組み合わせた実施の形態や、一部を抽出した実施の形態にもその適用範囲が及ぶものである。
【００８５】
さらに上述した実施の形態においては、現金を取引する現金自動取引装置１に本発明を適用する場合について述べた。本発明はこれに限らず、例えば商品券や金券、入場券等のような薄い紙状の媒体を取り扱う種々の装置に本発明を適用しても良い。また、例えば紙幣を入出する紙幣入出金機や紙幣を所定枚数毎に施封する施封小束支払機等、紙幣や硬貨の取引に関する種々の処理を行う複数種類の装置の組み合わせにより構成された現金処理装置に本発明を適用してもよい。
【００８６】
さらに上述した第１の実施の形態においては、筐体としての筐体２と、紙幣処理部としての紙幣入出金機１０とによって、自動取引装置としての現金自動取引装置１を構成し、紙幣処理部は、操作ノブとしてのシャッタ操作ノブ３２と、ノブカバーとしてのシャッタ操作ノブカバー３４とを有する場合について述べた。本発明はこれに限らず、その他種々の構成でなる筐体と、操作ノブとノブカバーとを有する紙幣処理部とによって、自動取引装置を構成しても良い。
【産業上の利用可能性】
【００８７】
本発明は、内部の機構を外部から手動で操作する種々の機構を覆うカバーを有する種々の装置でも利用できる。
【符号の説明】
【００８８】
１、１０１、２０１、３０１……現金自動取引装置、２……筐体、２Ｓ……筐体左側内壁面、３……顧客応対部、４……カード入出口、５……入出金口、６……操作表示部、７……テンキー、８……レシート発行口、９……主制御部、１０、１１０……紙幣入出金機、１０Ｕ……上部ユニット、１０Ｄ……下部ユニット、１１……シャッタ、１２……紙幣制御部、１３……記憶部、１４……入出金部、１５……搬送部、１６……鑑別部、１７……一時保留部、１８……紙幣収納庫、１９Ｕ……上側リジェクト庫、１９Ｄ……下側リジェクト庫、２２Ｕ……上部スライドレール、２２Ｄ……下部スライドレール、２４……下部フレーム、２６……振分搬送部、２８……入出金部フレーム、２８Ｌ……フレーム左側面、３０……凹部、３０Ｓ……凹壁面、３２……シャッタ操作ノブ、３４、１３４、２３４、３３４……シャッタ操作ノブカバー、３４Ｆ……前側板、３４Ｂ……後側板、３４Ｌ……左側板、３４Ｄ……下側板、３４Ｓ……操作ノブ被覆空間、３４Ｃ……角部、３５……ノブカバー回動軸、４０……搬送部操作ノブ、４２……搬送部操作ノブカバー、１３４Ｔ……当接部、２４４、３４４……操作ノブカバー部、２４６、３４６……ノブカバー部ストッパ、２４７……スプリング、ＳＰ……隙間、Ｕ１……露出方向、Ｕ２……被覆方向、Ｃ１……壁面間隔、Ｅ１……入り込み量、Ｈ１……露出状態時突出量、Ｄ１……閉鎖方向、Ｄ２……開放方向、Ｄ３……開放抑制方向、Ｄ４……開放非抑制方向。
【図１】
2019046160.tif 000003
【図２】
2019046160.tif 000004
【図３】
2019046160.tif 000005
【図４】
2019046160.tif 000006
【図５】
2019046160.tif 000007
【図６】
2019046160.tif 000008
【図７】
2019046160.tif 000009
【図８】
2019046160.tif 000010
【図９】
2019046160.tif 000011
【図１０】
2019046160.tif 000012
【図１１】
2019046160.tif 000013
【図１２】
2019046160.tif 000014
【図１３】
2019046160.tif 000015
【図１４】
2019046160.tif 000016
【図１５】
2019046160.tif 000017
【図１６】
2019046160.tif 000018
【図１７】
2019046160.tif 000019
【図１８】
2019046160.tif 000020
【図１９】
2019046160.tif 000021
【図２０】
2019046160.tif 000022
【図２１】
2019046160.tif 000023
【図２２】
2019046160.tif 000024
【図２３】
2019046160.tif 000025
【図２４】
2019046160.tif 000026
【図２５】
2019046160.tif 000027
【図２６】
2019046160.tif 000028
【図２７】
2019046160.tif 000029
【図２８】
2019046160.tif 000030
【図２９】
2019046160.tif 000031
【図３０】
2019046160.tif 000032
【図３１】
2019046160.tif 000033
【図３２】
2019046160.tif 000034